(57)【要約】【課題】高作業効率および低作業ミスを可能にする。【解決手段】裏面電極型太陽電池セル１１を両側の電極が＋極の電極１２になるように複数の小片セル１４にダイシングし、ピックアップによってトレイに移し替えられた小片セル１４を、プリント基板の表面に搭載して電極配線によって相互に接続し、上記プリント基板の表面を透明な材料で封止して、ソーラーモジュールが製造される。その際に、小片セル１４における最外側の電極が＋極の電極１２になるように分割される。したがって、上記ピックアップの際に作業員が小片セル１４の配列方向を１８０°間違えて反転したとしても、小片セル１４における電極１２,１３の配列順は全く同じになる。そのため、上記ピックアップ工程において、作業員は小片セル１４の電極１２,１３の延在方向のみを確認すればよく、作業員の作業効率を向上させ、作業ミスを減少できる。【選択図】図１
2013089757.tif 000002
【特許請求の範囲】
【請求項１】
表面に電極配線が形成されたプリント基板と、
上記プリント基板の表面上に搭載されて、上記電極配線によって互いに接続されると共に、裏面電極型太陽電池セルを複数に分割してなる複数の太陽電池分割セルと
を備え、
上記複数の太陽電池分割セルの各々は、
半導体基板の裏面上に、一方向に一直線に延在する＋極の電極および上記一方向に一直線に延在する−極の電極が、他方向に交互に並んで配置されており、
上記他方向の最も外側の両電極は同じ極の電極であり、
且つ、上記最も外側の電極の極性は、総ての上記太陽電池分割セルにおいて同じである
ことを特徴とするソーラーモジュール。
【請求項２】
半導体基板の裏面上に、一方向に一直線に延在する複数の＋極の電極および上記一方向に一直線に延在する複数の−極の電極が他方向に交互あるいは非交互に並んで配置されている裏面電極型太陽電池セルを用意する工程と、
表面に電極配線が形成されたプリント基板を用意する工程と、
上記裏面電極型太陽電池セルを、上記一方向と上記他方向とに分割して、複数の太陽電池分割セルを形成する工程と、
上記形成された複数の太陽電池分割セルを上記プリント基板の表面上に搭載して、上記電極配線によって上記太陽電池分割セルの電極を接続する工程と、
上記複数の太陽電池分割セルが搭載された上記プリント基板の表面を、透明材料で封止する工程と
を備え、
上記複数の太陽電池分割セルを形成する工程においては、
上記複数の太陽電池分割セルの各々における上記＋極の電極および上記−極の電極は、上記他方向に交互に並んで配置され、
上記複数の太陽電池分割セルの各々における上記他方向の最も外側の両電極は、同じ極の電極になり、
且つ、上記最も外側の電極の極性は、総ての上記太陽電池分割セルにおいて同じになる
ように上記裏面電極型太陽電池セルを分割する
ことを特徴とするソーラーモジュールの製造方法。
【請求項３】
請求項２に記載のソーラーモジュールの製造方法において、
上記用意される裏面電極型太陽電池セルは、上記複数の＋極の電極および上記複数の−極の電極の配列パターンが単位配列パターンの繰り返しからなっており、
上記単位配列パターンは、
上記複数の＋極の電極および上記複数の−極の電極が上記他方向に交互に並んで配置されており、
上記他方向の最も外側の両電極は同じ極の電極である
ことを特徴とするソーラーモジュールの製造方法。
【請求項４】
請求項２に記載のソーラーモジュールの製造方法において、
上記用意される裏面電極型太陽電池セルは、上記複数の＋極の電極および上記複数の−極の電極が上記他方向に交互に並んで配置されている
ことを特徴とするソーラーモジュールの製造方法。
【請求項５】
半導体基板の裏面上に、一方向に一直線に延在する複数の＋極の電極および上記一方向に一直線に延在する複数の−極の電極の他方向への配列パターンが、単位配列パターンの繰り返しからなっており、
上記単位配列パターンは、
上記複数の＋極の電極および上記複数の−極の電極が上記他方向に交互に並んで配置されており、
上記他方向の最も外側の両電極は同じ極の電極である
ことを特徴とする裏面電極型太陽電池セル。
【発明の詳細な説明】
【技術分野】
【０００１】
この発明は、ソーラーモジュールおよびこのソーラーモジュールの製造方法、並びに、上記ソーラーモジュールの製造に用いると好適な裏面電極型太陽電池セルに関する。
【背景技術】
【０００２】
近年、地球環境への配慮から、クリーンエネルギー源として太陽電池セルを用いた太陽光発電が注目を浴びており、太陽光発電の一般家庭への普及が進んでいる。また、太陽光発電の一般家庭への普及に伴って、小型の携帯機器に太陽光電池を搭載した製品も増えてきており、そのような製品に搭載する小型のソーラーモジュールの開発や実用化が進んでいる。
【０００３】
上記太陽電池セルとしては、結晶系太陽電池、薄膜太陽電池、化合物太陽電池等の様々な種類が存在する。小型のソーラーモジュールとしては、そのうちの結晶系太陽電池を使用したものが多く開発されている。この発明は、結晶系太陽電池の中でも裏面電極型太陽電池を使用した小型ソーラーモジュールに関するものである。
【０００４】
上記裏面電極型太陽電池を使用した小型ソーラーモジュールの製造方法として、図９〜図１２に示す方法がある。
【０００５】
この小型ソーラーモジュールの製造方法においては、先ず、図９(a)に示すような例えば住宅用の裏面電極型太陽電池セル１を、図９(b)に示すように小型ソーラーモジュールに搭載可能なサイズの小片セル２にダイシングする。図９(b)は、ダイシング後の裏面電極型太陽電池セル１を上から見た図である。住宅用の裏面電極型太陽電池セル１は１５０ｍｍ角程度のサイズを有するため、数十ｍｍのサイズの小型ソーラーモジュールに搭載するためには、ダイシングで切断して小片化する必要がある。
【０００６】
次に、図１０に示すように、ダイシングされた小片セル２をピックアップし、トレイ３に移し替える。次に、図１１に示すように、プリント基板４の表面に、図１０においてトレイ３に移し替えられた小片セル２を搭載する。小片セル２は、図１１に示すように、複数個搭載する場合が一般的である。小片セル２はプリント基板４上に複数個搭載され、プリント基板４の電極配線５によって相互に接続される。
【０００７】
次に、図１２に示すように、上記プリント基板４を透明な材料６で覆って表面を封止して、小型ソーラーモジュール７が完成する。
【０００８】
しかしながら、上記従来の小型ソーラーモジュールの製造方法には、以下のような問題がある。
【０００９】
すなわち、上記裏面電極型太陽電池セルとしては、特開２０１１‐１１４２０５号公報(特許文献１)に開示された太陽電池モジュールに用いられるようなものがある。図１３に示すように、この裏面電極型太陽電池セル１の電極は、細く一直線に延在する＋極の電極８と細く一直線に延在する−極の電極９とが交互に平行に配列されている。そして、上記小型ソーラーモジュールを製造する場合には、図１４(a)に示す破線の箇所でダイシングを行って小片セル２に分割される。
【００１０】
その場合、上記裏面電極型太陽電池セル１における＋極の電極８と−極の電極９とは同数ずつ配列されているため、図１４(a)に示すように、破線の位置でダイシングによって等間隔で小片化すると、図１４(b)に示すように、一つの小片セル２の一側において最も外側に位置する電極が＋極の電極８であるとすると、上記一側とは反対側の他側において最も外側に位置する電極が−極の電極９となる。そのために、図１０に示すピックアップ工程においては、トレイ３に移された小片セル２の向き(各電極の極性の配列順)が、図１５(a)に示すように総て同じになるように配列する必要がある。もし、図１５(b)に破線の丸印で示すように、各電極の極性の配列順が他とは逆の小片セル２'が存在すると、図１１に示すように小片セル２,２'をプリント基板４に搭載する際に極性の異なる電極同士が接続される箇所が生ずるため、正しく電圧を出力できなくなるからである。
【００１１】
ところが、図１０に示すピックアップ工程において、人手によるマニュアルで小片セル２をピックアップしてトレイ３に移し替える場合には、作業ミスによって電極の極性の配列順(つまり、小片セル２の向き)を間違える可能性がある。したがって、上記ピックアップ工程において作業ミスが無いか否かを確認するために、トレイ３へ移し終えた小片セル２の向きをその都度チェックする必要があり、作業効率が落ちるという問題がある。
【先行技術文献】
【特許文献】
【００１２】
【特許文献１】特開２０１１‐１１４２０５号公報
【発明の概要】
【発明が解決しようとする課題】
【００１３】
そこで、この発明の課題は、裏面電極型太陽電池セルをダイシングして得られた太陽電池分割セルを用いた高作業効率および低作業ミスを可能にするソーラーモジュールおよびこのソーラーモジュールの製造方法、並びに、上記ソーラーモジュールの製造方法に用いると好適な裏面電極型太陽電池セルを提供することにある。
【課題を解決するための手段】
【００１４】
上記課題を解決するため、この発明のソーラーモジュールは、
表面に電極配線が形成されたプリント基板と、
上記プリント基板の表面上に搭載されて、上記電極配線によって互いに接続されると共に、裏面電極型太陽電池セルを複数に分割してなる複数の太陽電池分割セルと
を備え、
上記複数の太陽電池分割セルの各々は、
半導体基板の裏面上に、一方向に一直線に延在する＋極の電極および上記一方向に一直線に延在する−極の電極が、他方向に交互に並んで配置されており、
上記他方向の最も外側の両電極は同じ極の電極であり、
且つ、上記最も外側の電極の極性は、総ての上記太陽電池分割セルにおいて同じである
ことを特徴としている。
【００１５】
上記構成によれば、裏面電極型太陽電池セルを複数に分割してなる総ての太陽電池分割セルは、＋極の電極および−極の電極の配列方向である他方向の最も外側の両電極は同じ極の電極となっている。そのために、上記裏面電極型太陽電池セルから複数に分割された上記太陽電池分割セルをプリント基板に搭載するためにピックアップする際に、上記太陽電池分割セルにおける上記電極の延在方向が１８０°反転されたとしても、＋極の電極と−極の電極との配列順は変わらない。したがって、作業員は上記太陽電池分割セルにおける電極の延在方向のみを確認すればよく、作業員による高作業効率化および低作業ミス化を可能にできる。
【００１６】
また、この発明のソーラーモジュールの製造方法は、
半導体基板の裏面上に、一方向に一直線に延在する複数の＋極の電極および上記一方向に一直線に延在する複数の−極の電極が他方向に交互あるいは非交互に並んで配置されている裏面電極型太陽電池セルを用意する工程と、
表面に電極配線が形成されたプリント基板を用意する工程と、
上記裏面電極型太陽電池セルを、上記一方向と上記他方向とに分割して、複数の太陽電池分割セルを形成する工程と、
上記形成された複数の太陽電池分割セルを上記プリント基板の表面上に搭載して、上記電極配線によって上記太陽電池分割セルの電極を接続する工程と、
上記複数の太陽電池分割セルが搭載された上記プリント基板の表面を、透明材料で封止する工程と
を備え、
上記複数の太陽電池分割セルを形成する工程においては、
上記複数の太陽電池分割セルの各々における上記＋極の電極および上記−極の電極は、上記他方向に交互に並んで配置され、
上記複数の太陽電池分割セルの各々における上記他方向の最も外側の両電極は、同じ極の電極になり、
且つ、上記最も外側の電極の極性は、総ての上記太陽電池分割セルにおいて同じになる
ように上記裏面電極型太陽電池セルを分割する
ことを特徴としている。
【００１７】
上記構成によれば、裏面電極型太陽電池セルを、＋極の電極の延在方向である一方向と他方向とに分割して複数の太陽電池分割セルを形成する際に、上記＋極の電極および上記−極の電極は上記他方向に交互に並んで配置され、且つ総ての太陽電池分割セルにおける上記他方向の最も外側の両電極が同じ極の電極になるように分割している。したがって、上記裏面電極型太陽電池セルから複数に分割された上記太陽電池分割セルをピックアップする際に、上記太陽電池分割セルにおける上記電極の延在方向が１８０°反転されたとしても、＋極の電極と−極の電極との配列順は変わらない。したがって、作業員は上記太陽電池分割セルにおける電極の延在方向のみを確認すればよく、作業員による高作業効率化および低作業ミス化を可能にできる。
【００１８】
また、１実施の形態のソーラーモジュールの製造方法では、
上記用意される裏面電極型太陽電池セルは、上記複数の＋極の電極および上記複数の−極の電極の配列パターンが単位配列パターンの繰り返しからなっており、
上記単位配列パターンは、
上記複数の＋極の電極および上記複数の−極の電極が上記他方向に交互に並んで配置されており、
上記他方向の最も外側の両電極は同じ極の電極である。
【００１９】
この実施の形態によれば、上記複数の太陽電池分割セルを形成する工程において用いられる裏面電極型太陽電池セルは、上記複数の＋極の電極および上記複数の−極の電極の配列パターンが、上記複数の＋極の電極および上記複数の−極の電極が上記他方向に交互に並んで配置されており、且つ上記他方向の最も外側の両電極は同じ極の電極である単位配列パターンが繰り返されてなっている。したがって、上記単位配列パターンの境界を上記太陽電池分割セルへの分割位置とすることによって、総ての太陽電池分割セルにおける上記他方向の最も外側の両電極が同じ極の電極になる。
【００２０】
ここで、従来の裏面電極型太陽電池セルにおいては、複数の＋極の電極および複数の−極の電極が交互に並んで配置されている。したがって、上記従来の裏面電極型太陽電池セルから、上記他方向の最も外側の両電極が同じ極の電極になるように複数の上記太陽電池分割セルを分割しようとすると、上記＋極の電極と−極の電極との配列方向に隣接する二つの上記太陽電池分割セルとなる領域の間に、上記太陽電池分割セルに含まれない無駄な電極が発生することになる。
【００２１】
これに対して、この発明の裏面電極型太陽電池セルにおいては、上記繰り返される上記単位配列パターンの上記他方向の最も外側の両電極は同じ極の電極になっている。したがって、上記単位配列パターンの境界をそのまま上記太陽電池分割セルへの分割位置とすれば、総ての上記太陽電池分割セルの上記最も外側の両電極は同じ極の電極になる。そのために、分割されるべき上記他方向に隣接する二つの上記太陽電池分割セル(つまり単位配列パターン)となる領域の間に、上記太陽電池分割セルに含まれない無駄な電極が発生することはないのである。
【００２２】
また、１実施の形態のソーラーモジュールの製造方法では、
上記用意される裏面電極型太陽電池セルは、上記複数の＋極の電極および上記複数の−極の電極が上記他方向に交互に並んで配置されている。
【００２３】
この実施の形態によれば、上記複数の太陽電池分割セルを形成する工程において用いられる裏面電極型太陽電池セルは、上記複数の＋極の電極および上記複数の−極の電極が上記他方向に交互に並んで配置されている裏面電極型太陽電池セルである。したがって、本ソーラーモジュールの製造に、従来の裏面電極型太陽電池セルをそのまま用いることができる。
【００２４】
また、この発明の裏面電極型太陽電池セルは、
半導体基板の裏面上に、一方向に一直線に延在する複数の＋極の電極および上記一方向に一直線に延在する複数の−極の電極の他方向への配列パターンが、単位配列パターンの繰り返しからなっており、
上記単位配列パターンは、
上記複数の＋極の電極および上記複数の−極の電極が上記他方向に交互に並んで配置されており、
上記他方向の最も外側の両電極は同じ極の電極である
ことを特徴としている。
【００２５】
上記構成によれば、本裏面電極型太陽電池セルは、複数の＋極の電極および複数の−極の電極の配列パターンが、上記複数の＋極の電極および上記複数の−極の電極が上記他方向に交互に並んで配置されており、且つ上記他方向の最も外側の両電極は同じ極の電極である単位配列パターンの繰り返しからなっている。したがって、本裏面電極型太陽電池セルを分割してなる複数の太陽電池分割セルをプリント基板の表面上に搭載してソーラーモジュールを製造する場合には、上記単位配列パターンの境界を上記太陽電池分割セルへの分割位置とすることによって、総ての太陽電池分割セルにおける上記他方向の最も外側の両電極を同じ極の電極にして、作業員による高作業効率化および低作業ミス化を図ることができる。
【００２６】
すなわち、本裏面電極型太陽電池セルを用いて上記ソーラーモジュールを製造する場合には、複数の＋極の電極および複数の−極の電極が交互に並んで配置された従来の裏面電極型太陽電池セルを用いる場合のように、分割されるべき上記他方向に隣接する二つの上記太陽電池分割セルとなる領域の間に、上記太陽電池分割セルに含まれない無駄な電極が発生することはない。
【発明の効果】
【００２７】
以上より明らかなように、この発明のソーラーモジュールは、プリント基板の表面上に搭載されて電極配線によって互いに接続された総ての太陽電池分割セルは、＋極の電極および−極の電極の並びの方向である他方向の最も外側の両電極は同じ極の電極となっている。そのため、裏面電極型太陽電池セルから複数に分割された上記太陽電池分割セルをプリント基板に搭載するためにピックアップする際に、上記太陽電池分割セルにおける上記電極の延在方向が１８０°反転されたとしても、＋極の電極と−極の電極との配列順は変わらない。したがって、作業員は上記太陽電池分割セルにおける電極の延在方向のみを確認すればよく、作業員による高作業効率化および低作業ミス化を可能にできる。
【００２８】
また、この発明のソーラーモジュールの製造方法は、裏面電極型太陽電池セルを、＋極の電極の延在方向である一方向と他方向とに分割して複数の太陽電池分割セルを形成する際に、上記＋極の電極および上記−極の電極は上記他方向に交互に並んで配置され、且つ総ての太陽電池分割セルにおける上記他方向の最も外側の両電極が同じ極の電極になるように分割している。したがって、上記裏面電極型太陽電池セルから複数に分割された上記太陽電池分割セルをピックアップする際に、上記太陽電池分割セルにおける上記両電極の延在方向が１８０°反転されたとしても、上記＋極の電極と上記−極の電極との配列順は変わらない。そのため、作業員は上記太陽電池分割セルにおける電極の延在方向のみを確認すればよく、作業員による高作業効率化および低作業ミス化を可能にできる。
【００２９】
また、この発明の裏面電極型太陽電池セルは、複数の＋極の電極および複数の−極の電極の配列パターンが、上記複数の＋極の電極および上記複数の−極の電極が上記他方向に交互に並んで配置されており、且つ上記他方向の最も外側の両電極は同じ極の電極である単位配列パターンの繰り返しからなっている。したがって、本裏面電極型太陽電池セルを分割してなる複数の太陽電池分割セルをプリント基板の表面上に搭載してソーラーモジュールを製造する場合には、上記単位配列パターンの境界を上記太陽電池分割セルへの分割位置とすることによって、総ての太陽電池分割セルにおける上記他方向の最も外側の両電極を同じ極の電極にして、作業員による高作業効率化および低作業ミス化を図ることができる。
【００３０】
すなわち、この発明によれば、本裏面電極型太陽電池セルを用いて、高い作業効率および少ない作業ミスで上記ソーラーモジュールを製造する場合に、複数の＋極の電極および複数の−極の電極が交互に並んで配置された従来の裏面電極型太陽電池セルを用いる場合のように、分割されるべき上記他方向に隣接する二つの上記太陽電池分割セルとなる領域の間に、上記太陽電池分割セルに含まれない無駄な電極が発生することはない。
【図面の簡単な説明】
【００３１】
【図１】この発明のソーラーモジュールを製造する際における裏面電極型太陽電池セルのダイシング位置を示す図である。
【図２】図１に示すダイシング位置でダイシングされた小片セルおよび逆向きに配列された小片セルを示す図である。
【図３】図１とは異なるダイシング位置を示す図である。
【図４】図３に示すダイシング位置でダイシングされた小片セルを示す図である。
【図５】この発明の裏面電極型太陽電池セルを示す図である。
【図６】図５に示す裏面電極型太陽電池セルからダイシングされた小片セルを示す図である。
【図７】図５とは異なる裏面電極型太陽電池セルを示す図である。
【図８】図７に示す裏面電極型太陽電池セルからダイシングされた小片セルを示す図である。
【図９】小型ソーラーモジュールの製造方法を示す図である。
【図１０】図９に続く小型ソーラーモジュールの製造方法を示す図である。
【図１１】図１０に続く小型ソーラーモジュールの製造方法を示す図である。
【図１２】図１１に続く小型ソーラーモジュールの製造方法を示す図である。
【図１３】従来の裏面電極型太陽電池セルの電極配列を示す図である。
【図１４】図１３に示す裏面電極型太陽電池セルにおける従来のダイシング位置および小片セルを示す図である。
【図１５】ピックアップ工程におけるトレイ上の小片セルの向きの説明図である。
【発明を実施するための形態】
【００３２】
以下、この発明を図示の実施の形態により詳細に説明する。
【００３３】
・第１実施の形態
図１は、本実施の形態のソーラーモジュールを製造する際における裏面電極型太陽電池セルのダイシング位置を示す図である。図１における裏面電極型太陽電池セル１１は、図１３に示す従来の裏面電極型太陽電池セル１と同様に、半導体基板の裏面全面に、細く一直線に延在する＋極の電極１２と細く一直線に延在する−極の電極１３とが交互に平行に同数配列されている。したがって、一つの裏面電極型太陽電池セル１１当たりの電極１２,１３の総本数は偶数である。
【００３４】
そして、本実施の形態のソーラーモジュールを製造する際には、裏面電極型太陽電池セル１１を、電極１２,１３に平行な第１方向と、この第１方向と直交する第２方向とに、ダイシングを行って上記太陽電池分割セルとしての小片セル１４に分割する。
【００３５】
その場合、本実施の形態においては、上記裏面電極型太陽電池セル１１における上記第１方向への分割位置は、図１に破線で示すように、一つの小片セル１４の一側において最も外側に位置する電極が＋極の電極１２であり、上記一側とは反対側の他側において最も外側に位置する電極も＋極の電極１２となるように設定されている。そのために、電極１２,１３の配列方向に互いに隣接する二つの小片セル１４の領域間には、一本の−極の電極１３を存在させることになる。
【００３６】
このように設定された分割位置でダイシングされた一つの小片セル１４は、図２(a)に示すように、一側から４本の＋極の電極１２と３本の−極の電極１３とを交互に平行に配列された構造を有している。つまり、＋極の電極１２の本数は偶数(４)であり、−極の電極１３の本数は奇数(３)であり、総本数は奇数(７)である。そして、両側の電極が＋極の電極１２となっている。
【００３７】
こうして、図１に破線で示す分割位置で分割された複数の小片セル１４は、図１０に示すと同様にして、ピックアップ工程においてピックアップされてトレイ(図示せず)に移し替えられる。その場合、上述したように、各小片セル１４における両側の電極が＋極の電極１２であり、電極１２,１３の総本数は奇数である。したがって、上記トレイに移された小片セル１４における電極１２,１３の向きが、作業ミスで、図２(a)に示す正常な向きから図２(b)に示す逆の向きに間違えられたとしても、小片セル１４における両側の電極が＋極の電極１２であり、図２(a)に示す正常な向きの場合と全く同じ＋極の電極１２と−極の電極１３との配列順を呈している。
【００３８】
したがって、上記ピックアップ工程において、作業員は、小片セル１４における電極１２,１３の延在方向が同じになるように各小片セル１４を上記トレイに配列すればよく、作業ミスの確認においても、電極１２,１３の延在方向のみを確認すればよい。したがって、本実施の形態によれば、作業員の作業効率を格段に向上させることができる。また、作業ミスも格段に減少させることができるのである。
【００３９】
以上のごとく、本実施の形態においては、上記裏面電極型太陽電池セル１１を複数の小片セル１４にダイシングする際に、総ての小片セル１４において両側の電極が＋極の電極１２になるように分割している。したがって、上記ピックアップ工程において作業員が小片セル１４の配列方向を１８０°間違えて反転したとしても、小片セル１４における＋極の電極１２と−極の電極１３との配列順は全く同じになる。そのために、図１１と同様にして小片セル１４をプリント基板(図示せず)に搭載する際に、極性の異なる電極同士が接続されることはなく、正しく電圧を出力することができるのである。
【００４０】
すなわち、本実施に形態によれば、上記ピックアップ工程において、作業員は、小片セル１４における電極１２,１３の延在方向のみを確認すればよく、作業員の作業効率を向上させ、作業ミスを減少させることができる。
【００４１】
また、上述のようにしてダイシングされてピックアップされ、上記トレイに移し替えられた小片セル１４を、図１１に示すと同様にプリント基板(図示せず)の表面に搭載し、上記プリント基板の電極配線によって相互に接続する。さらに、図１２に示すと同様に上記プリント基板の表面を透明な材料(図示せず)で封止して、小型ソーラーモジュールが製造される。したがって、こうして製造されたソーラーモジュールに搭載されている総ての小片セル１４は、両側の電極が＋極の電極１２になっている。
【００４２】
尚、本実施の形態においては、上記裏面電極型太陽電池セル１１に対して複数の小片セル１４の分割位置を設定する際に、電極１２,１３の配列方向に互いに隣接する二つの小片セル１４の領域間に一本の−極の電極１３を存在させるように設定している。しかしながら、この発明は、互いに隣接する二つの小片セル１４の領域間に存在させる電極の本数は一本に限定されるものではなく、両側を−極の電極１３とする奇数本であればよい。要は、裏面電極型太陽電池セル１１からなるべく多くの小片セル１４を効率良く分割できるように設定すれば良く、小片セル１４の分割位置に応じて変更しても差し支えない。
【００４３】
・第２実施の形態
図３は、本実施の形態のソーラーモジュールを製造する際における裏面電極型太陽電池セルのダイシング位置を示す図である。図３における裏面電極型太陽電池セル１１は、図１に示す裏面電極型太陽電池セル１１と同様に、半導体基板の裏面全面に、細く一直線に延在する−極の電極１６と細く一直線に延在する＋極の電極１７とが交互に平行に同数配列されている。したがって、一つの裏面電極型太陽電池セル１１当たりの電極１６,１７の総本数は偶数である。
【００４４】
そして、本実施の形態のソーラーモジュールを製造する際には、裏面電極型太陽電池セル１１を、電極１６,１７に平行な第１方向と、この第１方向と直交する第２方向とに、ダイシングを行って小片セル１８に分割する。
【００４５】
その場合、本実施の形態においては、上記裏面電極型太陽電池セル１１における上記第１方向への分割位置は、図３に破線で示すように、一つの小片セル１８の一側において最も外側に位置する電極が−極の電極１６であり、上記一側とは反対側の他側において最も外側に位置する電極も−極の電極１６となるように設定されている。そのため、本実施の形態における小片セル１８への分割位置は、図１に示す上記第１実施の形態における小片セル１４への分割位置を、図１中右側に電極一本分だけずらした位置になっている。したがって、本実施の形態においては、電極１６,１７の配列方向に互いに隣接する二つの小片セル１８の領域間には、一本の＋極の電極１７が存在することになる。
【００４６】
このように設定された分割位置でダイシングされた一つの小片セル１８は、図４に示すように、一側から４本の−極の電極１６と３本の＋極の電極１７とを交互に平行に配列された構造を有している。つまり、−極の電極１６の本数は偶数(４)であり、＋極の電極１７の本数は奇数(３)であり、総本数は奇数(７)である。そして、両側の電極が−極の電極１６となっている。
【００４７】
こうして、図３に破線で示す分割位置で分割された複数の小片セル１８は、ピックアップ工程においてピックアップされてトレイ(図示せず)に移し替えられる。その場合、上述したように、各小片セル１８における両側の電極が−極の電極１６であり、電極１７,１８の総本数は奇数である。したがって、上記トレイに移された小片セル１８における電極１６,１７の向きが、図４に示す正常な向きの逆向きに間違えられたとしても、小片セル１８における両側の電極が−極の電極１６であり、図４に示す正常な向きの場合と全く同じ−極の電極１６と＋極の電極１７との配列順を呈している。
【００４８】
したがって、上記ピックアップ工程において、作業員は、小片セル１８における電極１６,１７の延在方向が同じになるように各小片セル１８を上記トレイに配列すればよく、作業ミスの確認においても、電極１６,１７の延在方向のみを確認すればよい。したがって、本実施の形態によれば、作業員の作業効率を格段に向上させることができる。また、作業ミスも格段に減少させることができるのである。
【００４９】
以上のごとく、本実施の形態においては、上記裏面電極型太陽電池セル１１を複数の小片セル１８にダイシングする際に、総ての小片セル１８において両側の電極が−極の電極１６になるように分割している。したがって、上記ピックアップ工程において作業員が小片セル１８の配列方向を１８０°間違えて反転したとしても、小片セル１８における−極の電極１６と＋極の電極１７との配列順は全く同じになる。そのために、小片セル１８をプリント基板(図示せず)に搭載する際に極性の異なる電極同士が接続されることはなく、正しく電圧を出力することができる。
【００５０】
すなわち、本実施に形態によれば、上記ピックアップ工程において、作業員は、小片セル１８における電極１６,１７の延在方向のみを確認すればよく、作業員の作業効率を向上させ、作業ミスを減少させることができる。
【００５１】
また、上述のようにしてダイシングされてピックアップされ、上記トレイに移し替えられた小片セル１８を、プリント基板(図示せず)の表面に搭載し、上記プリント基板の電極配線によって相互に接続する。さらに、上記プリント基板の表面を透明な材料(図示せず)で封止して、小型ソーラーモジュールが製造される。したがって、こうして製造されたソーラーモジュールに搭載されている総ての小片セル１８は、両側の電極が−極の電極１６になっている。
【００５２】
尚、本実施の形態においても、上記裏面電極型太陽電池セル１１に対して複数の小片セル１８の分割位置を設定する際に、電極１６,１７の配列方向に互いに隣接する二つの小片セル１８の領域間に一本の＋極の電極１７を存在させるように設定している。しかしながら、この発明は、互いに隣接する二つの小片セル１８の領域間に存在させる電極の本数は一本に限定されるものではなく、両側を＋極の電極１７とする奇数本であればよい。要は、裏面電極型太陽電池セル１１からなるべく多くの小片セル１８を効率良く分割できるように設定すれば良く、小片セル１８の分割位置に応じて変更しても差し支えない。
【００５３】
・第３実施の形態
図５は、本実施の形態のソーラーモジュールの製造に用いると好適な裏面電極型太陽電池セルを示す図である。図５における裏面電極型太陽電池セル２１は、図１に示す裏面電極型太陽電池セル１１と同様に、半導体基板の裏面全面に、細く一直線に延在する＋極の電極２２と細く一直線に延在する−極の電極２３とが配列されている。
【００５４】
但し、上記＋極の電極２２と−極の電極２３との配列方法が、図１,図３に示す裏面電極型太陽電池セル１１とは以下のごとく異なる。
【００５５】
すなわち、本実施の形態においては、ｎを正の整数として、２ｎ(偶数)本の＋極の電極２２と(２ｎ−１)(奇数)本の−極の電極２３とを交互に平行に配列して電極の単位配列パターンとし、この単位配列パターンを繰り返して、裏面電極が形成されている。したがって、上記単位配列パターンにおける最も外側に位置する２本の電極は何れも＋極の電極２２になる。また、電極２２,２３の配列方向に互いに隣接する二つの単位配列パターンの境界では２本の＋極の電極２２が並列されることになる。
【００５６】
そして、上記裏面電極型太陽電池セル２１を用いて小型ソーラーモジュールを製造する場合には、小片セル２４に分割する際における電極２２,２３に平行な第１方向への分割位置を、図５に破線で示すように、電極２２,２３の配列方向に互いに隣接する二つの単位配列パターンの境界に設定するのである。
【００５７】
こうすることによって、上記分割位置で上記第１方向とこの第１方向に直交する第２方向とにダイシングされた一つの小片セル２４は、図６に示すように、一側から２ｎ本(ｎ＝２)の＋極の電極２２と(２ｎ−１)本(ｎ＝２)の−極の電極２３とが交互に平行に配列された構造を有している。つまり、＋極の電極２２の本数は偶数(４)であり、−極の電極２３の本数は奇数(３)であり、総本数は奇数(７)である。そして、両側の電極が＋極の電極２２となっている。
【００５８】
したがって、本実施の形態においては、上記第１実施の形態の場合と同様に、上記裏面電極型太陽電池セル２１を複数の小片セル２４にダイシングする際に、総ての小片セル２４において、両側の電極が＋極の電極２２になるように分割することができる。したがって、上記ピックアップ工程において作業員が小片セル２４の配列方向を１８０°間違えて反転したとしても、小片セル２４における＋極の電極２２と−極の電極２３との配列順は全く同じになる。そのために、小片セル２４をプリント基板(図示せず)に搭載する際に極性の異なる電極同士が接続されることはなく、正しく電圧を出力することができるのである。
【００５９】
すなわち、本実施に形態によれば、上記ピックアップ工程において、作業員は、小片セル２４における電極２２,２３の延在方向のみを確認すればよく、作業員の作業効率を向上させ、作業ミスを減少させることができるのである。
【００６０】
以上のごとく、本実施の形態においては、上記裏面電極型太陽電池セル２１の裏面電極を、ｎを正の整数として、２ｎ(偶数)本の＋極の電極２２と(２ｎ−１)(奇数)本の−極の電極２３とを交互に平行に配列して電極の単位配列パターンとし、この単位配列パターンを繰り返すことによって形成している。こうして、電極２２,２３の配列方向に互いに隣接する二つの単位配列パターンの境界では２本の＋極の電極２２が並列されるようにしている。
【００６１】
したがって、上記裏面電極型太陽電池セル２１を用いて小型ソーラーモジュールを製造する場合には、小片セル２４に分割する際における電極２２,２３に平行な第１方向への分割位置を、電極２２,２３の配列方向に互いに隣接する二つの単位配列パターンの境界に設定するだけで、分割された一つの小片セル２４における両側の電極が＋極の電極２２となるようにダイシングを行うことができる。
【００６２】
すなわち、本実施の形態における裏面電極型太陽電池セル２１を用いて小型ソーラーモジュールを製造する場合には、上記第１実施の形態の場合のように、電極の配列方向に互いに隣接する二つの小片セルの間にある奇数本の電極を残してダイシングを行う必要が無い。したがって、従来のダイシング方法をそのまま用いることができ、ダイシング時の無駄を省くことができる。
【００６３】
尚、上記正の整数ｎは、上記小型ソーラーモジュールを作成する際に必要とする小片セル２４の構造に応じて設定すればよい。
【００６４】
・第４実施の形態
図７は、本実施の形態のソーラーモジュールの製造に用いると好適な裏面電極型太陽電池セルを示す図である。図７における裏面電極型太陽電池セル２５は、図１に示す裏面電極型太陽電池セル１１と同様に、半導体基板の裏面全面に、細く一直線に延在する−極の電極２６と細く一直線に延在する＋極の電極２７とが配列されている。
【００６５】
但し、上記−極の電極２６と＋極の電極２７との配列方法が、図１,図３に示す裏面電極型太陽電池セル１１とは以下のごとく異なる。
【００６６】
すなわち、本実施の形態においては、ｎを正の整数として、２ｎ(偶数)本の−極の電極２６と(２ｎ−１)(奇数)本の＋極の電極２７とを交互に平行に配列して電極の単位配列パターンとし、この単位配列パターンを繰り返して、裏面電極が形成されている。したがって、上記単位配列パターンにおける最も外側に位置する２本の電極は何れも−極の電極２６になる。また、電極２６,２７の配列方向に互いに隣接する二つの単位配列パターンの境界では２本の−極の電極２６が並列されることになる。
【００６７】
そして、上記裏面電極型太陽電池セル２５を用いて小型ソーラーモジュールを製造する場合には、小片セル２８に分割する際における電極２６,２７に平行な第１方向への分割位置を、図７に破線で示すように、電極２６,２７の配列方向に互いに隣接する二つの単位配列パターンの境界に設定するのである。
【００６８】
こうすることによって、上記分割位置で上記第１方向とこの第１方向に直交する第２方向とにダイシングされた一つの小片セル２８は、図８に示すように、一側から２ｎ本(ｎ＝２)の−極の電極２６と(２ｎ−１)本(ｎ＝２)の＋極の電極２７とが交互に平行に配列された構造を有している。つまり、−極の電極２６の本数は偶数(４)であり、＋極の電極２７の本数は奇数(３)であり、総本数は奇数(７)である。そして、両側の電極が−極の電極２６となっている。
【００６９】
したがって、本実施の形態においては、上記第２実施の形態の場合と同様に、上記裏面電極型太陽電池セル２５を複数の小片セル２８にダイシングする際に、総ての小片セル２８において、両側の電極が−極の電極２６になるように分割することができる。したがって、上記ピックアップ工程において作業員が小片セル２８の配列方向を１８０°間違えて反転したとしても、小片セル２８における−極の電極２６と＋極の電極２７との配列順は全く同じになる。そのために、小片セル２８をプリント基板(図示せず)に搭載する際に極性の異なる電極同士が接続されることはなく、正しく電圧を出力することができる。
【００７０】
すなわち、本実施に形態によれば、上記ピックアップ工程において、作業員は、小片セル２８における電極２６,２７の延在方向のみを確認すればよく、作業員の作業効率を向上させ、作業ミスを減少させることができるのである。
【００７１】
以上のごとく、本実施の形態においては、上記裏面電極型太陽電池セル２５の裏面電極を、ｎを正の整数として、２ｎ(偶数)本の−極の電極２６と(２ｎ−１)(奇数)本の＋極の電極２７とを交互に平行に配列して電極の単位配列パターンとし、この単位配列パターンを繰り返すことによって形成している。こうして、電極２６,２７の配列方向に互いに隣接する二つの単位配列パターンの境界では２本の−極の電極２６が並列されるようにしている。
【００７２】
したがって、上記裏面電極型太陽電池セル２５を用いて小型ソーラーモジュールを製造する場合には、小片セル２８に分割する際における電極２６,２７に平行な第１方向への分割位置を、電極２６,２７の配列方向に互いに隣接する二つの単位配列パターンの境界に設定するだけで、分割された一つの小片セル２８における両側の電極が−極の電極２６となるようにダイシングを行うことができる。
【００７３】
すなわち、本実施の形態における裏面電極型太陽電池セル２５を用いて小型ソーラーモジュールを製造する場合には、上記第２実施の形態の場合のように、電極の配列方向に互いに隣接する二つの小片セルの間にある奇数本の電極を残してダイシングを行う必要が無い。したがって、従来のダイシング方法をそのまま用いることができ、ダイシング時の無駄を省くことができる。
【００７４】
尚、上記正の整数ｎは、上記小型のソーラーモジュールを作成する際に必要とする小片セル２４の構造に応じて設定すればよい。
【符号の説明】
【００７５】
１１,２１,２５…裏面電極型太陽電池セル、
１２,１７,２２,２７…＋極の電極、
１３,１６,２３,２６…−極の電極、
１４,１８,２４,２８…小片セル。
【図１】
2013089757.tif 000003
【図２】
2013089757.tif 000004
【図３】
2013089757.tif 000005
【図４】
2013089757.tif 000006
【図５】
2013089757.tif 000007
【図６】
2013089757.tif 000008
【図７】
2013089757.tif 000009
【図８】
2013089757.tif 000010
【図１３】
2013089757.tif 000011
【図１４】
2013089757.tif 000012
【図１５】
2013089757.tif 000013
【図９】
2013089757.tif 000014
【図１０】
2013089757.tif 000015
【図１１】
2013089757.tif 000016
【図１２】
2013089757.tif 000017